(57)【要約】      （修正有）【課題】ペンタダハプリズムから射出される被写体光束を光電変換する高画素の素子を用いた場合でも、大型化を招くことなく短距離配線での接続を可能にする。【解決手段】被写体光束をファインダに導くペンタダハプリズム２０５と、ペンタダハプリズムから射出される被写体光束を光電変換する光電変換素子１０１と、光電変換素子からの信号をＡ／Ｄ変換するＡ／Ｄ変換回路１０２と、Ａ／Ｄ変換回路からの信号を処理する信号処理回路１０３と、回路素子を両面実装可能なリジットプリント基板部２０９ａ，２０９ｂを有するリジットフレキ基板２０９と、リジットプリント基板部がダハ面２０５ａ，２０５ｂに対して空間を介して平行に配置されるようにリジットフレキ基板を保持する保持部材２０８とを備える。そして、リジットプリント基板部のうちの信号処理回路１０３に近い側のリジットプリント基板部２０９ａに、Ａ／Ｄ変換回路を実装する。【選択図】図２
2012255992.tif 000002
【特許請求の範囲】
【請求項１】
被写体光束をファインダに導くペンタダハプリズムと、
前記ペンタダハプリズムから射出される被写体光束を光電変換する光電変換素子と、
前記光電変換素子から出力された信号をＡ／Ｄ変換するＡ／Ｄ変換回路と、
前記Ａ／Ｄ変換回路から出力された信号を処理する信号処理回路と、
回路素子を両面実装可能な複数のリジットプリント基板部を有するリジットフレキシブル基板と、
前記複数のリジットプリント基板部が前記ペンタダハプリズムのダハ面に対して空間を介して平行に配置されるように前記リジットフレキシブル基板を保持する保持部材と、を備え、
前記複数のリジットプリント基板部のうちの前記信号処理回路に近い側のリジットプリント基板部に、前記Ａ／Ｄ変換回路が実装されることを特徴とする撮像装置。
【請求項２】
前記Ａ／Ｄ変換回路が実装された前記リジットプリント基板部に、前記光電変換素子と電気的に接続される接続部が配置されることを特徴とする請求項１に記載の撮像装置。
【請求項３】
前記リジットフレキシブル基板は、前記ダハ面に対して直交する方向から締結部材により前記保持部材に固定されることを特徴とする請求項１又は２に記載の撮像装置。
【発明の詳細な説明】
【技術分野】
【０００１】
本発明は、例えば一眼レフカメラ等の撮像装置に関し、特にペンタダハプリズムの近傍に回路基板が配設される撮像装置に関する。
【背景技術】
【０００２】
一眼レフカメラ等の撮像装置では、ファインダ内の表示デバイスや測光デバイス等を制御する回路を実装したフレキシブルプリント基板を、ペンタダハプリズムの頂部稜線を跨ぐ様に配設したものがある（特許文献１）。
【先行技術文献】
【特許文献】
【０００３】
【特許文献１】特開平０８−１３６９９０号公報
【発明の概要】
【発明が解決しようとする課題】
【０００４】
ところで、近年の一眼レフカメラ等は、測光性能や被写体認識の高性能化の要請から、ペンタダハプリズムから射出される被写体光束を利用する光電変換素子として、ＣＣＤユニット等を用いることがある。
【０００５】
ＣＣＤユニット等の高画素の光電変換素子を用いた場合、光電変換素子から出力される信号を処理するＡ／Ｄ変換回路や信号処理回路、付随する回路部品等が必要となり、回路規模が増大する。また、Ａ／Ｄ変換回路や信号処理回路等は、ノイズの影響を最小限に留める為に光電変換素子と短距離配線で接続する必要がある。
【０００６】
しかし、ペンタダハプリズムの周辺は、回路部品の有効な実装スペースが乏しい。このため、上記特許文献１の撮像装置に、測光や被写体認識用のデバイスとしてＣＣＤユニット等の光電変換素子を使用した場合、回路規模の増大による装置の大型化や、短距離配線での接続の困難性によるノイズの発生や信号減衰等が生じるおそれがある。
【０００７】
そこで、本発明は、ペンタダハプリズムから射出される被写体光束を光電変換する高画素の光電変換素子を用いた場合でも、大型化を招くことなく、短距離配線での接続を可能にすることができる撮像装置を提供することを目的とする。
【課題を解決するための手段】
【０００８】
上記目的を達成するために、本発明の撮像装置は、被写体光束をファインダに導くペンタダハプリズムと、前記ペンタダハプリズムから射出される被写体光束を光電変換する光電変換素子と、前記光電変換素子から出力された信号をＡ／Ｄ変換するＡ／Ｄ変換回路と、前記Ａ／Ｄ変換回路から出力された信号を処理する信号処理回路と、回路素子を両面実装可能な複数のリジットプリント基板部を有するリジットフレキシブル基板と、前記複数のリジットプリント基板部が前記ペンタダハプリズムのダハ面に対して空間を介して平行に配置されるように前記リジットフレキシブル基板を保持する保持部材と、を備え、前記複数のリジットプリント基板部のうちの前記信号処理回路に近い側のリジットプリント基板部に、前記Ａ／Ｄ変換回路が実装されることを特徴とする。
【発明の効果】
【０００９】
本発明によれば、ペンタダハプリズムから射出される被写体光束を光電変換する高画素の光電変換素子を用いた場合でも、撮像装置の大型化を招くことなく、短距離配線での接続を可能にすることができる。
【図面の簡単な説明】
【００１０】
【図１】本発明の撮像装置の第１の実施形態である一眼レフカメラの要部を正面側から見た斜視図である。
【図２】図１の一部を分解した斜視図である。
【図３】フレキシブルプリント基板、及びリジットフレキシブル基板の展開図である。
【図４】本発明の撮像装置の第２の実施形態である一眼レフカメラの要部を背面側から見た斜視図である。
【発明を実施するための形態】
【００１１】
以下、本発明の実施形態を図面を参照して説明する。
【００１２】
図１は本発明の撮像装置の第１の実施形態である一眼レフカメラの要部を正面側から見た斜視図、図２は図１の一部を分解した斜視図、図３はフレキシブルプリント基板、及びリジットフレキシブル基板の展開図である。
【００１３】
本実施形態の一眼レフカメラは、図１及び図２に示すように、本体シャーシ２１０にミラーボックス２０１がねじ等の締結部材により締結される。ミラーボックス２０１には、不図示のレンズ鏡筒の基準面となるマウント２０２、レンズ鏡筒を通過した被写体光束をファインダへ導くためのメインミラー２０３、不図示のフォーカルプレーンシャッタユニット、撮像素子ユニット、シーケンス機構等が配置される。
【００１４】
ミラーボックス２０１の上部には、ペンタホルダ２０４が設けられる。ペンタホルダ２０４は、レンズ鏡筒からの被写体光束を結像する不図示のフォーカシングスクリーン、及びフォーカシングスクリーンで結像した被写体像を左右及び上下反転させてファインダに導くペンタダハプリズム２０５を保持する。また、ペンタホルダ２０４には、不図示のセンサホルダが固定され、センサホルダには、フレキシブルプリント基板２０６に実装された光電変換素子１０１が接着等により固定される。
【００１５】
また、被写体側から見てペンタホルダ２０４の左側に位置する本体シャーシ２１０の上面部には、信号処理回路１０３が実装されたリジットプリント基板２１１が固定されている。リジットプリント基板２１１は、不図示の電源系回路とコネクタ等を介して接続される。
【００１６】
結像レンズ２０７は、ペンタダハプリズム２０５から射出された被写体光束を光電変換素子１０１に結像させる。
【００１７】
光電変換素子１０１は、ＣＣＤや測光ＩＣ等で構成され、ペンタダハプリズム２０５から射出される被写体光束を電気的なアナログ信号へ光電変換する。光電変換素子１０１から出力されたアナログ信号は、Ａ／Ｄ変換回路１０２によりデジタル信号に変換される。
【００１８】
Ａ／Ｄ変換回路１０２は、ＡＤＴＧ等の電気素子で構成される。ＡＤＴＧは、光電変換素子１０１からのアナログ信号をデジタル信号に変換すると共に、駆動制御信号を時間軸にて正確に変化させ、入力する信号のタイミングを生成するタイミングジェネレータとしての役割も有する。
【００１９】
光電変換素子１０１やＡ／Ｄ変換回路１０２は、リジットプリント基板２１１及びコネクタ２１１ａ、リジットフレキシブル基板２０９及びフレキシブルプリント基板２０６の配線等を介して不図示のＤＣ／ＤＣユニット等から供給された電源により駆動する。
【００２０】
信号処理回路１０３は、Ａ／Ｄ変換回路１０２からの信号に対して所定の演算処理を施して画像データの生成、画素補間処理、色変換処理等を行い、得られた演算結果に基づき露光制御や測距制御、光源種類の検知、顔検知や被写体追尾等の被写体認識処理を行う。
【００２１】
リジットフレキシブル基板２０９は、高密度パターニング上に回路素子を両面実装可能な３層以上のリジットプリント基板部２０９ａ，２０９ｂを備える。また、リジットフレキシブル基板２０９は、リジットプリント基板部２０９ａ，２０９ｂに電気的に接続される複数のフレキシブルプリント基板部２０９ｃ，２０９ｄ，２０９ｅを備える。フレキシブルプリント基板部２０９ｃは、先端がコネクタ接点となっており、リジットプリント基板２１１に実装されたコネクタ２１１ａに電気的に接続される。
【００２２】
保持部材２０８は、ペンタダハプリズム２０５の頂点両側のダハ面２０５ａ，２０５ｂを押し付けた状態でペンタホルダ２０４に固定されて、ペンタダハプリズム２０５を保持する。また、保持部材２０８には、ペンタダハプリズム２０５のダハ面２０５ａ，２０５ｂから離れる方向に折り曲げられた台座部２０８ａ，２０８ｂが形成されている。
【００２３】
台座部２０８ａ，２０８ｂには、リジットフレキシブルプリント基板２０９のリジットプリント基板部２０９ａ，２０９ｂがペンタダハプリズムのダハ面２０５ａ，２０５ｂに対して平行に載置される。そして、この状態で、ダハ面２０５ａ，２０５ｂに対して直交する方向からねじ等の締結部材２１２によりリジットプリント基板部２０９ａ，２０９ｂが台座部２０８ａ，２０８ｂに固定される。
【００２４】
これにより、リジットプリント基板部２０９ａ，２０９ｂと保持部材２０８との間に、リジットプリント基板部２０９ａ，２０９ｂのダハ面２０５ａ，２０５ｂ側の面にも電気素子等の回路部品を実装することが可能な空間が形成される。なお、台座部２０８ａ，２０８ｂは、折り曲げて形成する以外に、例えばボス等で形成してもよい。
【００２５】
また、保持部材２０８の材質を熱伝導率の高い材料、例えば銅合金材料やアルミニウム合金材料等とする事により、回路の駆動により発生する熱を保持部材２０８を介して他の部品に伝熱させる機能を持たせることが可能となる。
【００２６】
ここで、本実施形態では、Ａ／Ｄ変換回路１０２は、信号処理回路１０３に近い側のペンタダハプリズム２０５のダハ面２０５ａと平行に配置されたリジットプリント基板部２０９ａの表面側の基板面に実装される。これにより、Ａ／Ｄ変換回路１０２と信号処理回路１０３とを短距離配線で接続することができる。
【００２７】
また、Ａ／Ｄ変換回路１０２が実装されているリジットプリント基板部２０９ａの表面側の基板面に、フレキシブルプリント基板２０６と電気的に接続する為のコネクタ２０９ｆが実装される（図３参照）。これにより、光電変換素子１０１とＡ／Ｄ変換回路１０２とを短距離配線で接続することができる。ここで、コネクタ２０９ｆは、本発明の接続部の一例に相当する。
【００２８】
更に、リジットプリント基板部２０９ａの裏面側の基板面やリジットプリント基板部２０９ｂの表面側及び裏面側の基板面には、ファインダ内液晶表示デバイスや、ペンタダハプリズム２０５の周辺に配設されるデバイスの駆動回路が実装される。これにより、回路規模が増大しても、各種回路を一枚のリジットフレキシブル基板２０９に効率的に集約して実装することができる。
【００２９】
以上説明したように、本実施形態では、ペンタダハプリズム２０５から射出される被写体光束を光電変換する高画素の光電変換素子１０１を用いた場合でも、回路規模の増大によるカメラの大型化を回避することができる。また、光電変換素子１０１とＡ／Ｄ変換回路１０２、及びＡ／Ｄ変換回路１０２と信号処理回路１０３とを短距離配線で接続することができるので、ノイズや信号の減衰等の影響を最小限に留めることができ、精度の高い測光や被写体認識が可能となる。
【００３０】
（第２の実施形態）
次に、図４を参照して、本発明の撮像装置の第２の実施形態である一眼レフカメラについて説明する。なお、上記第１の実施形態に対して重複又は相当する部分については、図に同一符号を付してその説明を省略する。
【００３１】
図４は、本発明の撮像装置の第２の実施形態である一眼レフカメラの要部を背面側から見た斜視図である。
【００３２】
本実施形態の一眼レフカメラは、本体シャーシ２１０の背面側に、リジットプリント基板３０１が配置され、リジットプリント基板３０１には、信号処理回路１０３が実装されている。信号処理回路１０３は、カメラの背面側から見て、リジットプリント基板３０１の左上側に配置されている。また、リジットプリント基板３０１には、コネクタ３０１ａが信号処理回路１０３の上側に位置して実装されている。
【００３３】
ここで、本実施形態では、信号処理回路１０３に近いダハ面２０５ｂと平行に配置されたリジットプリント基板部２０９ｂの表面側の基板面に、コネクタ２０９ｇ、Ａ／Ｄ変換回路１０２、及びコネクタ２０９ｆが実装される。また、リジットプリント基板部２０９ｂの裏面側の基板面やリジットプリント基板部２０９ａの表面側及び裏面側の基板面に、ファインダ内液晶表示デバイスや、ペンタダハプリズム２０５の周辺に配設されるデバイスの駆動回路が実装される。これにより、回路規模が増大しても、各種回路を一枚のリジットフレキシブル基板２０９に効率的に集約して実装することができる。
【００３４】
そして、リジットプリント基板３０１に実装されたコネクタ３０１ａ、及びリジットプリント基板部２０９ｂに実装されたコネクタ２０９に、フレキシブルプリント基板３０２が接続される。また、リジットプリント基板部２０９ｂに実装されたコネクタ２０９ｆに、光電変換素子１０１が実装されたフレキシブルプリント基板２０６が接続される。これにより、光電変換素子１０１とＡ／Ｄ変換回路１０２、及びＡ／Ｄ変換回路１０２と信号処理回路１０３とを短距離配線で接続することができる。その他の構成及び作用効果は、上記第１の実施形態と同様である。
【００３５】
なお、本発明の構成は、上記各実施形態に例示したものに限定されるものではなく、材質、形状、寸法、形態、数、配置箇所等は、本発明の要旨を逸脱しない範囲において適宜変更可能である。
【符号の説明】
【００３６】
１０１  光電変換素子
１０２  Ａ／Ｄ変換回路
１０３  信号処理回路
２０５  ペンタダハプリズム
２０５ａ，２０５ｂ  ダハ面
２０８  保持部材
２０９  リジットフレキシブルプリント基板
２０９ｆ  コネクタ
【図１】
2012255992.tif 000003
【図２】
2012255992.tif 000004
【図３】
2012255992.tif 000005
【図４】
2012255992.tif 000006